【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
血液流が通過可能な流路を画成する管状のステントグラフトであって、
径方向内側への収縮及び径方向外側への拡張が可能な骨格部と、
前記骨格部に沿って設けられた皮膜部と、を備え、
前記骨格部が収縮した収縮状態から、前記骨格部が拡張して前記皮膜部によって前記流路が画成された拡張状態へ、変形可能であり、
前記拡張状態において、外周面の一部が径方向内側に窪んだ凹部と、前記凹部内の所定位置から径方向外側に向けて延びる筒状に形成され、前記血液流が通過可能な筒状開口部と、を有する、
ステントグラフト。
【請求項２】
請求項１に記載のステントグラフトにおいて、
前記筒状開口部が、
前記骨格部を有さず、且つ、前記流路から分流して該筒状開口部を通過する血液流によって該筒状開口部の開口向きを変更可能な柔軟性を有する、
ステントグラフト。
【請求項３】
請求項１又は請求項２に記載のステントグラフトにおいて、
前記筒状開口部の全体が、
前記拡張状態において、前記凹部によって画成される窪み空間の内側に存在する、
ステントグラフト。
【請求項４】
請求項１〜請求項３の何れか一項に記載のステントグラフトにおいて、
前記骨格部が、
前記筒状開口部と前記凹部との接続箇所の近傍に存在しない、
ステントグラフト。
【請求項５】
請求項１〜請求項４の何れか一項に記載のステントグラフトである第１ステントグラフトと、
前記第１ステントグラフトが有する前記筒状開口部へ接続可能な管状の第２ステントグラフトと、を備えた、
ステントグラフトセット。
【請求項６】
請求項５に記載のステントグラフトセットにおいて、
前記筒状開口部が、
該筒状開口部と前記凹部との接続箇所から離れるにつれて開口面積が小さくなる縮径形状を有し、
前記第２ステントグラフトが、
開口端の近傍において、前記開口端に近付くにつれて開口面積が大きくなる拡径形状を有し、
前記第１ステントグラフトの前記筒状開口部と、前記第２ステントグラフトの前記開口端の近傍と、が互いに密着する、
ステントグラフトセット。
【請求項７】
血管内にステントグラフトを留置するためのステントグラフト留置装置であって、
請求項１〜請求項４の何れか一項に記載のステントグラフトと、
前記ステントグラフトが前記収縮状態にて収容された収容具と、
前記収容具から前記ステントグラフトを放出して前記拡張状態に変形させる操作具と、
を備えた、
ステントグラフト留置装置。
【手続補正２】
【補正対象書類名】明細書
【補正対象項目名】０００９
【補正方法】変更
【補正の内容】
【０００９】
前述した目的を達成するために、本発明に係る「ステントグラフト」は、下記（１）〜（４）を特徴としている。
（１）
血液流が通過可能な流路を画成する管状のステントグラフトであって、
径方向内側への収縮及び径方向外側への拡張が可能な骨格部と、
前記骨格部に沿って設けられた皮膜部と、を備え、
前記骨格部が収縮した収縮状態から、前記骨格部が拡張して前記皮膜部によって前記流路が画成された拡張状態へ、変形可能であり、
前記拡張状態において、外周面の一部が径方向内側に窪んだ凹部と、前記凹部内の所定位置から径方向外側に向けて延びる筒状に形成され、前記血液流が通過可能な筒状開口部と、を有する、
ステントグラフトであること。
（２）
上記（１）に記載のステントグラフトにおいて、
前記筒状開口部が、
前記骨格部を有さず、且つ、前記流路から分流して該筒状開口部を通過する血液流によって該筒状開口部の開口向きを変更可能な柔軟性を有する、
ステントグラフトであること。
（３）
上記（１）又は上記（２）に記載のステントグラフトにおいて、
前記筒状開口部の全体が、
前記拡張状態において、前記凹部によって画成される窪み空間の内側に存在する、
ステントグラフトであること。
（４）
上記（１）〜上記（３）の何れか一つに記載のステントグラフトにおいて、
前記骨格部が、
前記筒状開口部と前記凹部との接続箇所の近傍に存在しない、
ステントグラフトであること。
【手続補正３】
【補正対象書類名】明細書
【補正対象項目名】００１０
【補正方法】変更
【補正の内容】
【００１０】
上記（１）の構成のステントグラフトによれば、ステントグラフトの外周面に径方向内側に窪んだ凹部が形成されており、その凹部内に径方向外側に向けて延びる筒状に形成され、血液流が通過可能な筒状開口部が設けられている。そのため、主血管と分岐血管との分岐位置に本構成のステントグラフトが留置される際、仮に筒状開口部が分岐血管に対して十分に合致していなくても、凹部内にて筒状開口部が開く（径方向外側に延びる）ことができる分、従来ステントグラフトに比べて位置ずれに対する許容度が大きいことになる。即ち、本構成のステントグラフトは、従来ステントグラフトに比べ、ステントグラフトとしての機能（例えば、分岐血管への血流確保）を維持しながら、留置時に筒状開口部が開き易い。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
更に、前述した目的を達成するために、本発明に係る「ステントグラフトセット」は、下記（５）及び（６）を特徴としている。
（５）
上記（１）〜上記（４）の何れか一つに記載のステントグラフトである第１ステントグラフトと、
前記第１ステントグラフトが有する前記筒状開口部へ接続可能な管状の第２ステントグラフトと、を備えた、
ステントグラフトセットであること。
（６）
上記（５）に記載のステントグラフトセットにおいて、
前記筒状開口部が、
該筒状開口部と前記凹部との接続箇所から離れるにつれて開口面積が小さくなる縮径形状を有し、
前記第２ステントグラフトが、
開口端の近傍において、前記開口端に近付くにつれて開口面積が大きくなる拡径形状を有し、
前記第１ステントグラフトの前記筒状開口部と、前記第２ステントグラフトの前記開口端の近傍と、が互いに密着する、
ステントグラフトセットであること。
【手続補正７】
【補正対象書類名】明細書
【補正対象項目名】００２２
【補正方法】変更
【補正の内容】
【００２２】
上記（５）の構成のステントグラフトセットによれば、上記（１）〜（４）の特徴を有する第１ステントグラフト（メイン・ステントグラフト）の筒状開口部に、第２ステントグラフト（ブランチ・ステントグラフト）を接続することにより、主血管と分岐血管との分岐位置の近傍に生じた大動脈瘤等への血液流入を遮断し、そのような大動脈瘤等の治療が可能となる。第１ステントグラフトは、上記（１）〜（４）に記載のように筒状開口部が開き易いため、従来ステントグラフトに比べ、第２ステントグラフトと容易に接続である。
【手続補正８】
【補正対象書類名】明細書
【補正対象項目名】００２３
【補正方法】変更
【補正の内容】
【００２３】
上記（６）の構成のステントグラフトセットによれば、第１ステントグラフトの筒状開口部の縮径部分と、第２ステントグラフトの開口端の近傍の拡径部分と、が互いに密着する。これにより、そのような縮径部分および拡径部分が存在しない場合に比べ、両者の接触面積が増大し、両者の間の液密性を向上できる。よって、第１ステントグラフトと第２ステントグラフトとの間からの血液の漏れ（いわゆるエンドリーク）を抑制できる。
【手続補正９】
【補正対象書類名】明細書
【補正対象項目名】００２５
【補正方法】変更
【補正の内容】
【００２５】
更に、前述した目的を達成するために、本発明に係る「ステントグラフト留置装置」は、下記（７）を特徴としている。
（７）
血管内にステントグラフトを留置するためのステントグラフト留置装置であって、
上記（１）〜上記（４）の何れか一つに記載のステントグラフトと、
前記ステントグラフトが前記収縮状態にて収容された収容具と、
前記収容具から前記ステントグラフトを放出して前記拡張状態に変形させる操作具と、
を備えた、
ステントグラフト留置装置であること。
【手続補正１０】
【補正対象書類名】明細書
【補正対象項目名】００２６
【補正方法】変更
【補正の内容】
【００２６】
上記（７）の構成のステントグラフト留置装置によれば、上記（１）〜（４）の特徴を有するステントグラフトを血管内に留置するための器具一式を提供できる。
【手続補正１１】
【補正対象書類名】明細書
【補正対象項目名】００８１
【補正方法】削除
【補正の内容】